(57)【特許請求の範囲】
【請求項１】
後見人ＡＰＰソフトウェアがインストールされている後見人端末が、未活性化状態にある空いているコード形態の被後見人２次元コードが読み取られ、被後見人情報が記入された後、サーバに被後見人情報アップロード要求を送信し、前記サーバが前記被後見人情報アップロード要求に基づいて被後見人情報連結リストを構築してから、前記被後見人２次元コードを活性化するステップ１と、
他人用端末が、前記被後見人２次元コードを読み取って少なくとも必要記入情報が記入された後、被後見人の顔写真が含まれている被後見人発見指令を前記サーバに送信するステップ２と、
前記サーバが、前記被後見人発見指令に基づいて前記被後見人情報連結リストを照会し、その後、前記被後見人情報連結リストに記憶されている前記被後見人の最近の写真を呼び出し、前記被後見人の顔写真と前記被後見人の最近の該写真とを画像比較して前記被後見人の身分を確定し、前記被後見人の身分を確認した後、呼び出された後見人情報に基づいて、前記後見人に連絡して前記被後見人の現在の位置、及び他人の連絡方式を通知するステップ３と、を含み、
前記ステップ１は、
前記後見人端末を利用して、未活性化状態にある空いている前記コード形態の前記被後見人２次元コードを読み取られた後、前記サーバに後見人ＡＰＰソフトウェアダウンロード要求指令を送信するサブステップ１１と、
前記サーバが、前記後見人端末に前記後見人ＡＰＰソフトウェアインストールプログラムを送信するサブステップ１２と、
前記後見人ＡＰＰソフトウェアのインストールと登録が完成された後、前記後見人端末にインストールされた前記後見人ＡＰＰソフトウェアを用いて、未活性化状態にある空いている前記コード形態の前記被後見人２次元コードが読み取られ、前記後見人ＡＰＰソフトウェアの記入インタフェースに前記被後見人情報が記入されるサブステップ１３と、
前記被後見人２次元コードのコード値情報、前記被後見人情報、及び前記後見人ＡＰＰソフトウェアのユーザ情報に基づいて前記被後見人情報アップロード要求が生成された前記被後見人情報アップロード要求を、前記サーバに送信するサブステップ１４と、
前記サーバが、前記被後見人情報アップロード要求における前記被後見人２次元コードのコード値情報に基づいて、被後見人情報データベースに前記コード値情報に対応する前記被後見人情報連結リストを構築し、前記被後見人情報を前記被後見人情報連結リストに記憶して前記被後見人２次元コードに対する活性化を実現するサブステップ１５と、を含み、
前記サブステップ１３において、前記後見人ＡＰＰソフトウェアの記入インタフェースに記入される前記被後見人情報には、前記被後見人の氏名、年齢、住所、前記被後見人の動画、前記被後見人の最近の写真、血液型、アレルギーヒストリー、及び少なくとも１つの前記後見人情報が含まれ、前記後見人情報には、前記後見人の氏名、及び前記後見人の連絡方式が含まれ、
前記登録が完成され後、記入された前記後見人情報を修正することができ、前記被後見人２次元コードが活性化された後、記入された前記被後見人情報を修正することができることを特徴とする、
２次元コードに基づいて被後見人を探す方法。
【請求項２】
前記ステップ２は、
単独の前記被後見人を発見すると、前記他人用端末を用いて前記被後見人２次元コードが読み取られた後、前記他人用端末が前記サーバから送信されるフォーム画面を受信するサブステップ２１と、
前記他人用端末に少なくとも前記必要記入情報が記入された後、前記被後見人２次元コードの前記コード値情報と少なくとも前記必要記入情報を有するフォームによって前記被後見人発見指令が生成され、前記他人用端末によって前記サーバに前記被後見人発見指令を送信するサブステップ２２と、
を含むことを特徴とする
請求項１に記載の２次元コードに基づいて被後見人を探す方法。
【請求項３】
前記サブステップ２２において、前記他人用端末における前記フォーム画面に記入される情報には、前記他人の携帯電話番号と前記被後見人の現在の発見場所情報とから構成される前記必要記入情報、及び前記被後見人の現在の前記写真または前記被後見人の現在の前記動画を含むオップション記入情報が含まれることを特徴とする
請求項２に記載の２次元コードに基づいて被後見人を探す方法。
【請求項４】
前記ステップ３は、
前記サーバが、前記被後見人発見指令を分析して、前記被後見人２次元コードの前記コード値情報とフォーム情報を獲得するサブステップ３１と、
前記サーバが、前記被後見人２次元コードの前記コード値情報に基づいて前記被後見人情報データベースを照会し、それに対応する前記被後見人情報連結リストが照会された後、記憶されている前記後見人情報を呼び出すサブステップ３２と、
前記サーバが、前記フォーム情報における前記被後見人の現在の発見場所情報に基づいて、地図に位置決められた位置をマークするサブステップ３３と、
前記サーバが、呼び出された前記後見人情報に基づいて前記後見人に連絡して、前記被後見人の現在の位置情報、及び前記他人の携帯電話番号を通知するサブステップ３４と、
を含むことを特徴とする
請求項１に記載の２次元コードに基づいて被後見人を探す方法。
【請求項５】
前記サブステップ３４において、前記サーバが、前記後見人情報によって前記後見人と連絡を取れない場合、前記サーバが、国家公安機関通報センターに連絡し、前記被後見人情報連結リストに記憶されているすべての情報、前記他人の前記携帯電話番号と前記被後見人の現在の前記発見場所情報を前記国家公安機関通報センターに通知することを特徴とする
請求項４に記載の２次元コードに基づいて被後見人を探す方法。
【請求項６】
前記ステップ２を実施する前に、前記後見人が、前記被後見人の失踪を気づいた後、前記後見人端末の前記後見人ＡＰＰソフトウェアを使用して前記サーバに被後見人失踪情報を送信するステップをさらに含むことを特徴とする
請求項１に記載の２次元コードに基づいて被後見人を探す方法。
【請求項７】
前記被後見人失踪情報を送信する前記ステップは、
前記後見人端末の前記後見人ＡＰＰソフトウェアに前記被後見人の失踪位置、失踪時間、及び服装情報が記入され、被後見人失踪指令が生成されてから、前記後見人端末が前記サーバに送信するサブステップａと、
前記サーバが、前記被後見人失踪指令を受信した後、前記被後見人情報データベースで対応する前記被後見人情報連結リストを照会し、該被後見人情報連結リストを被後見人失踪データベースに呼び込むサブステップｂと、
前記サーバが、後見人情報データベースから各後見人情報を照会し、現在の被後見人失踪指令を各前記後見人に送信するサブステップｃと、
を含むことを特徴とする
請求項６に記載の２次元コードに基づいて被後見人を探す方法。
【請求項８】
被後見人２次元コード、後見人端末、サーバ、及び他人用端末を含み、
前記後見人端末は、未活性化状態にある空いているコード形態の前記被後見人２次元コードが読み取られた後、前記サーバに後見人ＡＰＰソフトウェアダウンロード要求指令を送信し、後見人ＡＰＰソフトウェアのインストールと登録が完成された後、前記後見人端末にインストールされた前記後見人ＡＰＰソフトウェアを用いて、未活性化状態にある空いている前記コード形態の前記被後見人２次元コードが読み取られて、前記後見人ＡＰＰソフトウェアの記入インタフェースに、被後見人の氏名、年齢、住所、前記被後見人の動画、前記被後見人の最近の写真、血液型、アレルギーヒストリー、及び前記後見人の氏名と前記後見人の連絡方式を備える少なくとも１つの後見人情報が含まれる被後見人情報が記入され、前記被後見人２次元コードのコード値情報、前記被後見人情報、及び前記後見人ＡＰＰソフトウェアのユーザ情報に基づいて被後見人情報アップロード要求が生成された後、前記サーバに前記被後見人情報アップロード要求を送信するためのものであり、
前記他人用端末は、前記被後見人２次元コードを読み取って少なくとも必要記入情報が記入された後、前記サーバに前記被後見人の顔写真が含まれている被後見人発見指令を送信するためのものであり、
前記サーバは、前記後見人端末に前記後見人ＡＰＰソフトウェアインストールプログラムを送信し、前記被後見人情報アップロード要求における前記被後見人２次元コードの前記コード値情報に基づいて、被後見人情報データベースに前記コード値情報に対応する被後見人情報連結リストを構築し、前記被後見人情報を前記被後見人情報連結リストに記憶して前記被後見人２次元コードに対する活性化を実現し、そして前記被後見人発見指令に基づいて、前記被後見人情報連結リストを照会した後、前記被後見人情報連結リストに記憶されている前記被後見人の最近の写真を呼び出し、前記被後見人の顔写真と前記被後見人の最近の該写真とを画像比較して前記被後見人の身分を確定し、前記被後見人の身分を確認した後、呼び出された前記後見人情報に基づいて、前記後見人端末に前記被後見人の現在の位置、及び他人の連絡方式を通知するものであり、
前記登録が完成された後、記入された前記後見人情報を修正することができ、前記被後見人２次元コードが活性化された後、記入された前記被後見人情報を修正することができることを特徴とする
２次元コードに基づいて前記被後見人を探すシステム。
【発明の詳細な説明】
【技術分野】
【０００１】
本発明は、被後見人を探す方法に関し、特に、２次元コードに基づいて被後見人を探す方法及びシステムに関する。
【背景技術】
【０００２】
現在、単独の被後見人を発見した場合、一般的に国家公安機関通報センターに連絡して、国家公安機関通報センターの人に単独の被後見人を連れて行かせ、その後見人と連絡を取らせるようにする。一方、被後見人が失踪した後、その後見人は、一般的に警察に通報し、テレビや新聞などのメディアに被後見人の失踪情報を掲載させ、他の人々の協力によって失踪した被後見人を探すようにする。しかしながら、上記の被後見人を探す方法は、簡単すぎ、被後見人の探しに参加する人数も限られているため、失踪又は単独の被後見人をできるだけ早く探すことに不利である。
【発明の概要】
【０００３】
本発明は、上記の問題に存在する不足に対して、後見人に失踪又は単独の被後見人を探す新たな手段を提供して、後見人ができるだけ早く被後見人を探し出すことができる２次元コードに基づいて被後見人を探す方法及びシステムを提供する。
【０００４】
上記の目的を達成するために、本発明は、２次元コードに基づいて被後見人を探す方法を提供し、
後見人が、空いているコード形態（vacant code type）の被後見人２次元コードを読み取り、被後見人情報を記入した後、サーバに被後見人情報アップロード要求を送信し、サーバが被後見人情報アップロード要求に基づいて被後見人情報連結リストを構築してから、被後見人２次元コードを活性化するステップ１と、
被後見人とは無関係の人（以下、「他人」という）が、被後見人２次元コードを読み取って必要記入情報を記入した後、サーバに被後見人発見指令を送信するステップ２と、
サーバが、被後見人発見指令に基づいて、被後見人情報連結リストに記憶されている被後見人情報と後見人情報を照会した後、後見人に連絡して被後見人の現在の位置、及び他人の連絡方式を通知するステップ３と、含む。
【０００５】
上記２次元コードに基づいて被後見人を探す方法において、ステップ１は、
後見人が、端末機器を利用して、空いているコード形態の被後見人２次元コードを読み取った後、サーバに後見人ＡＰＰソフトウェアダウンロード要求指令を送信するサブステップ１１と、
サーバが、後見人が現在使用している端末機器に後見人ＡＰＰソフトウェアインストールプログラムを送信するサブステップ１２と、
後見人ＡＰＰソフトウェアのインストールと登録を完成した後、後見人が、端末機器にインストールされている後見人ＡＰＰソフトウェアを使用して、空いているコード形態の被後見人２次元コードを読み取って、後見人ＡＰＰソフトウェアの記入インタフェースに被後見人情報を記入するサブステップ１３と、
被後見人２次元コードのコード値情報、被後見人情報、及び後見人ＡＰＰソフトウェアのユーザ情報に基づいて被後見人情報アップロード要求を生成した後、サーバに被後見人情報アップロード要求を送信するサブステップ１４と、
サーバが、被後見人情報アップロード要求における被後見人２次元コードのコード値情報に基づいて、被後見人情報データベースにコード値情報に対応する被後見人情報連結リストを構築し、被後見人情報を被後見人情報連結リストに記憶して被後見人２次元コードに対する活性化を実現するサブステップ１５と、を含む。
【０００６】
上記２次元コードに基づいて被後見人を探す方法において、サブステップ１３において、後見人ＡＰＰソフトウェアの記入インタフェースに記入される被後見人情報には、被後見人の氏名、年齢、住所、被後見人の動画、被後見人の最近の写真、血液型、アレルギーヒストリー、及び少なくとも１つの後見人情報が含まれ、後見人情報には、後見人の氏名、及び後見人の連絡方式が含まれる。
【０００７】
上記２次元コードに基づいて被後見人を探す方法において、ステップ２は、
他人が、単独の被後見人を発見すると、端末機器を利用して被後見人２次元コードを読み取った後、サーバから送信されるフォーム画面を受信するサブステップ２１と、
必要記入情報を記入した後、被後見人２次元コードのコード値情報と必要記入情報を有するフォームによって被後見人発見指令を生成し、サーバに被後見人発見指令を送信するサブステップ２２と、を含む。
【０００８】
上記２次元コードに基づいて被後見人を探す方法は、サブステップ２２において、他人がフォーム画面に記入する情報には、他人の携帯電話番号と被後見人の現在の発見場所情報とから構成される必要記入情報、及び被後見人の現在の写真または被後見人の現在の動画を含むオップション記入情報が含まれる。
【０００９】
上記２次元コードに基づいて被後見人を探す方法において、ステップ３は、
サーバが、被後見人発見指令を分析して、被後見人２次元コードのコード値情報とフォーム情報を獲得するサブステップ３１と、
被後見人２次元コードのコード値情報に基づいて被後見人情報データベースを照会し、それに対応する被後見人情報連結リストが照会された後、記憶されている後見人情報を呼び出すサブステップ３２と、
フォーム情報における被後見人の現在の発見場所情報に基づいて、地図に位置決められた位置をマークするサブステップ３３と、
呼び出された後見人情報に基づいて後見人に連絡して、被後見人の現在の位置情報、及び他人の携帯電話番号を通知するサブステップ３４と、を含む。
【００１０】
上記２次元コードに基づいて被後見人を探す方法は、サブステップ３４において、サーバが、後見人情報によって後見人と連絡を取れない場合、国家公安機関通報センターに連絡し、被後見人情報連結リストに記憶されているすべての情報、他人の携帯電話番号と被後見人の現在の発見場所情報を国家公安機関通報センターに通知する。
【００１１】
上記２次元コードに基づいて被後見人を探す方法において、ステップ２を実施する前に、後見人が、被後見人の失踪を気づいた後、端末機器の後見人ＡＰＰソフトウェアを使用してサーバに被後見人失踪情報を送信するステップをさらに含む。
【００１２】
上記２次元コードに基づいて被後見人を探す方法において、上記ステップは、
後見人が、被後見人の失踪を気づいた後、端末機器の後見人ＡＰＰソフトウェアに被後見人の失踪位置、失踪時間、及び服装情報を記入し、被後見人失踪指令を生成してからサーバに送信するサブステップａと、
サーバが、被後見人失踪指令を受信した後、被後見人情報データベースで対応する被後見人情報連結リストを照会し、当該被後見人情報連結リストを被後見人失踪データベースに呼び込むサブステップｂと、
サーバが、後見人情報データベースから各後見人情報を照会し、現在の被後見人失踪指令を各後見人に送信するサブステップｃと、を含む。
【００１３】
本発明は、請求項１に記載の２次元コードに基づいて被後見人を探す方法を実施するシステムをさらに提供し、被後見人２次元コード、後見人ＡＰＰソフトウェアがインストールされている後見人端末、サーバ、及び他人用端末を含み、
後見人ＡＰＰソフトウェアがインストールされている前記後見人端末は、空いているコード形態の被後見人２次元コードを読み取り、被後見人情報を記入した後、前記サーバに被後見人情報アップロード要求を送信するためのものであり、
前記他人用端末は、被後見人２次元コードを読み取って必要記入情報を記入した後、前記サーバに被後見人発見指令を送信するためのものであり、
前記サーバは、後見人ＡＰＰソフトウェアがインストールされている前記後見人端末から送信された被後見人情報アップロード要求に基づいて被後見人情報連結リストを構築した後、被後見人２次元コードを活性化し、前記他人用端末から送信された被後見人発見指令に基づいて、被後見人情報連結リストに記憶されている被後見人情報と後見人情報を照会した後、後見人に連絡して被後見人の現在の位置、及び他人の連絡方式を通知する。
【００１４】
従来の技術に比べて、本発明は下記の利点を有する。
【００１５】
本発明によって、後見人が失踪されたかまたは単独の被後見人を探すことに、新たな方法を提供して、できるだけ早く被後見人が見つかるようにする。
【００１６】
失踪されたかまたは単独の被後見人を発見した場合、被後見人２次元コードを読み取った後にサーバに被後見人発見指令を送信すればよく、サーバは、被後見人２次元コードのコード値情報に基づいて、それに対応する後見人情報を照会し、被後見人の位置と発見した人の連絡方式を通知し、できるだけ早く被後見人が見つかるようにする。
【００１７】
また、被後見人２次元コードを服装または小さいアクセサリーなどの商品に付着して、従来の服装または小さいアクセサリーなどの商品に、別の新たな付属機能を追加することができる。
【図面の簡単な説明】
【００１８】
【図１】本発明の方法の第１の実施例のフローチャートである。
【図２】本発明の方法の第２の実施例のフローチャートである。
【図３】本発明のシステムの構成ブロック図である。
【発明を実施するための形態】
【００１９】
本実施例は、図１に示すように、２次元コードに基づいて被後見人を探す方法を提供し、下記のステップを含む。
【００２０】
ステップ１において、後見人は、空いているコード形態の被後見人２次元コードを読み取り、被後見人情報を記入した後、サーバに被後見人情報アップロード要求を送信し、サーバは、被後見人情報アップロード要求に基づいて被後見人情報連結リストを構築してから、被後見人２次元コードを活性化する。
【００２１】
ここで、ステップ１は、下記のサブステップを含む。
【００２２】
ステップ１１において、後見人は、端末機器を利用して、空いているコード形態の被後見人２次元コードを読み取った後、サーバに後見人ＡＰＰソフトウェアダウンロード要求指令を送信する。
【００２３】
ステップ１２において、サーバは、後見人ＡＰＰソフトウェアダウンロード指令における端末機器の現在のＩＰアドレスに基づいて、その端末機器に後見人ＡＰＰソフトウェアインストールプログラムを送信する。
【００２４】
また、後見人は、ネットワーク上のＡＰＰストアなどの別のＡＰＰウェブサイトから当該後見人ＡＰＰソフトウェアをダウンロードしてもよい。
【００２５】
未活性化状態にある空いているコード形態の被後見人２次元コードを読み取るとき、後見人ＡＰＰソフトウェアのインストールをプロンプトするためのプロンプト情報だけ出てくる。
【００２６】
ステップ１３において、後見人ＡＰＰソフトウェアのインストールと登録を完成した後、後見人は、端末機器にインストールされた後見人ＡＰＰソフトウェアを使用して、空いているコード形態の被後見人２次元コードを読み取って、後見人ＡＰＰソフトウェアの記入インタフェースに被後見人情報を記入する。
【００２７】
後見人は、端末機器に後見人ＡＰＰソフトウェアをインストールした後、登録情報を記入してから当該後見人ＡＰＰソフトウェアのインタフェースに正式に進入することができる。
【００２８】
後見人は、登録時にまず携帯電話番号をサーバに送信し、サーバは、携帯電話番号に基づいて当該携帯電話番号を有する携帯電話に、生成された検証コードを送信し、後見人が検証コードを入力してから登録情報記入画面に入るすることができる。
【００２９】
登録情報記入画面には、必要記入情報とオップション記入情報が含まれる。
【００３０】
ここで、必要記入情報は、ユーザ名称、ユーザパスワード、少なくとも１つの緊急連絡人情報、及び後見人の住所を含み、緊急連絡人情報は、連絡人の氏名と連絡人の電話番号を含む。
【００３１】
ここで、ユーザ名称は、後見人の携帯電話番号であってもよい。
【００３２】
また、後見人の実際の要求に応じて、複数の緊急連絡人を設定してもよい。
【００３３】
オップション記入情報は、後見人の身分証情報、職場、及び後見人の写真などのその他の情報を含む。
【００３４】
登録情報記入画面における必要記入情報を記入した後、必要記入情報に基づいて後見人登録情報記憶要求を生成し、後見人登録情報記憶要求をサーバに送信する。
【００３５】
サーバは、受信した後見人登録情報記憶要求を分析した後、ユーザ名称に記入された情報に基づいて、後見人情報データベースにユーザ名称に記入された情報に対応する後見人情報記憶連結リストを構築する。
【００３６】
後見人は、登録を完成した後、空いているコード形態の被後見人２次元コードを読み取ってから、後見人ＡＰＰソフトウェアの被後見人２次元コードに対応する被後見人情報記入画面に進入する。ここで、被後見人情報は、被後見人の氏名、年齢、住所、被後見人の動画、被後見人の最近の写真、血液型、アレルギーヒストリー、及び少なくとも１つの後見人情報を含み、後見人情報は、後見人の氏名、及び後見人の連絡方式を含む。ここで、後見人の連絡方式は、後見人の携帯電話番号、ＱＱ番号、ウィーチャット番号またはＥメールなどを含む。
【００３７】
また、後見人は、複数の空いているコード形態の被後見人２次元コードを読み取って、関連する被後見人情報を記入してもよい。
【００３８】
また、後見人は、登録を完成した後、後見人ＡＰＰソフトウェアのインタフェースによって、記入された後見人情報を照会又は修正してもよい。
【００３９】
ステップ１４において、被後見人２次元コードのコード値情報、被後見人情報、及び後見人ＡＰＰソフトウェアのユーザ情報に基づいて被後見人情報アップロード要求を生成した後、サーバのＩＰアドレスに基づいてサーバに被後見人情報アップロード要求を送信する。
【００４０】
ステップ１５において、サーバは、被後見人情報アップロード要求における被後見人２次元コードのコード値情報に基づいて、被後見人情報データベースにコード値情報に対応する被後見人情報連結リストを構築し、被後見人情報、及び後見人ＡＰＰソフトウェアのユーザ情報を被後見人情報連結リストに記憶する。
【００４１】
サーバは、被後見人情報連結リストを記憶した後、被後見人２次元コードを活性化する。
【００４２】
ここで、サーバは、被後見人情報連結リストに記憶されている情報の完全性を判断でき、記憶されている情報の完全性が最低標準に達する場合、当該被後見人２次元コードが活性化標準に符合すると判断し、未活性化状態から活性化状態に変換させる。
【００４３】
活性化状態にある被後見人２次元コードをスキャンした後、当該２次元コードが未活性化２次元コードであるというプロンプト情報が出現せず、後見人ＡＰＰソフトウェアをインストールする必要があるというプロンプト情報も出現しない。
【００４４】
また、被後見人２次元コードが活性化された後、後見人ＡＰＰソフトウェアのインタフェースによって、記入された被後見人情報を照会又は修正してもよい。
【００４５】
また、後見人ＡＰＰソフトウェアは、オンライン支払機能をさらに有し、サーバに該当費用を支払うことによって、当該後見人ＡＰＰソフトウェアを長期間使用し、後見人ＡＰＰソフトウェアが提供する該当するサービスを利用する。
【００４６】
ステップ２において、他人は、被後見人２次元コードを読み取って必要記入情報を記入した後、サーバに被後見人発見指令を送信する。
【００４７】
ステップ２は、下記のサブステップを含む。
【００４８】
ステップ２１において、他人は、単独の被後見人を発見すると、自分の端末機器を利用して被後見人２次元コードを読み取った後、サーバから送信されるＷＥＢスタイルのフォーム画面を受信する。
【００４９】
ステップ２２において、必要記入情報を記入した後、被後見人２次元コードのコード値情報と必要記入情報を有するフォームによって被後見人発見指令を生成し、サーバのＩＰアドレスに基づいてサーバに被後見人発見指令を送信する。
【００５０】
ここで、他人が選定によってＷＥＢスタイルのフォーム画面に入り、ＷＥＢスタイルのフォーム画面に記入される情報には、他人の携帯電話番号と被後見人の現在の発見場所情報とから構成される必要記入情報、及び被後見人の現在の状態、被後見人の現在の写真または被後見人の現在の動画を含むオップション記入情報が含まれる。
【００５１】
ここで、被後見人の現在の状態は、例えば、被後見人が当時に傷つかれたか否かの状態が記載されるコメント欄を含む。
【００５２】
他人は、フォームに情報を入力した後、必要記入情報及び／またはオップション記入情報と被後見人２次元コードのコード値情報によって被後見人発見指令を生成し、サーバのＩＰアドレスに基づいてサーバに被後見人発見指令を送信する。
【００５３】
また、他人は、被後見人の顔写真を撮影し、顔写真をサーバに送信してもよい。
【００５４】
ステップ３において、サーバは、被後見人発見指令に基づいて、被後見人情報連結リストに記憶されている被後見人情報と後見人情報を照会した後、後見人に連絡して被後見人の現在の位置、及び他人の連絡方式を通知する。
【００５５】
ステップ３は、下記のサブステップを含む。
【００５６】
ステップ３１において、サーバは、被後見人発見指令を分析して被後見人２次元コードのコード値情報とフォーム情報を獲得する。
【００５７】
ステップ３２において、被後見人２次元コードのコード値情報に基づいて被後見人情報データベースを照会し、それに対応する被後見人情報連結リストが照会された後、記憶されている後見人情報を呼び出す。
【００５８】
ステップ３３において、フォーム情報における被後見人の現在の発見場所情報に基づいて、地図に位置決められた位置をマークする。
【００５９】
ステップ３４において、呼び出された後見人情報に基づいて後見人に連絡して、被後見人の現在の位置情報、及び他人の携帯電話番号を通知する。
【００６０】
ステップ３４において、サーバは、後見人情報によって後見人と連絡を取れない場合、国家公安機関通報センターに連絡し、被後見人情報連結リストに記憶されているすべての情報、他人の携帯電話番号と被後見人の現在の発見場所情報を国家公安機関通報センターに通知し、国家公安機関通報センターから警察を派遣して被後見人を確認して、被後見人を通報センターに連れてくるようにする。
【００６１】
また、ステップ３において、サーバは、他人がサーバに送信した被後見人発見指令に被後見人の顔写真がさらに含まれている場合、被後見人情報連結リストを照会した後、被後見人情報連結リストに記憶されている被後見人の最近の写真を呼び出し、被後見人の顔写真と被後見人の最近の写真とを画像比較して被後見人の身分を確定する。
【００６２】
ここで、サーバは、従来の画像比較方法で失踪発見情報における被後見人の写真と被後見人情報連結リストに記憶されている被後見人の最近の写真との合致度を確定し、比較後の合致度が６０％より高い場合、被後見人身分確認情報を生成する。
【００６３】
比較後の合致度が６０％より低い場合、サーバは、職員に通知して、フォーム情報における他人連絡方式を利用して人工方式で他人と連絡を取って、被後見人の身分を確認する。
【００６４】
被後見人の身分を確認した後、サーバは、呼び出された後見人情報に基づいて後見人に連絡して被後見人の現在の位置情報、及び他人の携帯電話番号を通知し、後見人は、被後見人の現在の位置情報、及び他人の携帯電話番号を獲得した後、他人の携帯電話番号を使用して他人に連絡し、被後見人の現在位置にできるだけ早く到着するようにする。
【００６５】
本実施例は、図２に示すように、２次元コードに基づいて被後見人を探す方法を提供し、下記のステップを含む。
【００６６】
ステップ１において、後見人は、空いているコード形態の被後見人２次元コードを読み取り、被後見人情報を記入した後、サーバに被後見人情報アップロード要求を送信し、サーバは、被後見人情報アップロード要求に基づいて被後見人情報連結リストを構築してから、被後見人２次元コードを活性化する。
【００６７】
ここで、ステップ１は、下記のサブステップを含む。
【００６８】
ステップ１１において、後見人は、端末機器で、空いているコード形態の被後見人２次元コードを読み取った後、サーバに後見人ＡＰＰソフトウェアダウンロード指令を送信する。
【００６９】
ステップ１２において、サーバは、後見人ＡＰＰソフトウェアダウンロード指令における端末機器の現在のＩＰアドレスに基づいて、その端末機器に後見人ＡＰＰソフトウェアインストールプログラムを送信する。
【００７０】
また、後見人は、ネットワーク上のＡＰＰストアなどの別のＡＰＰウェブサイトから当該後見人ＡＰＰソフトウェアをダウンロードしてもよい。
【００７１】
未活性化状態にある空いているコード形態の被後見人２次元コードを読み取るとき、後見人ＡＰＰソフトウェアのインストールをプロンプトするためのプロンプト情報だけ出てくる。
【００７２】
ステップ１３において、後見人ＡＰＰソフトウェアのインストールと登録を完成した後、後見人は、端末機器にインストールされた後見人ＡＰＰソフトウェアを利用して、空いているコード形態の被後見人２次元コードを読み取って、後見人ＡＰＰソフトウェアの記入インタフェースに被後見人情報を記入する。
【００７３】
後見人は、端末機器に後見人ＡＰＰソフトウェアをインストールした後、登録情報を記入してから当該後見人ＡＰＰソフトウェアのインタフェースに正式に進入することができる。
【００７４】
後見人は、登録時にまず携帯電話番号をサーバに送信し、サーバは、携帯電話番号に基づいて当該携帯電話番号を有する携帯電話に、生成された検証コードを送信し、後見人が検証コードを入力してから登録情報記入画面に入ることができる。
【００７５】
登録情報記入画面には、必要記入情報とオップション記入情報が含まれる。
【００７６】
ここで、必要記入情報は、ユーザ名称、ユーザパスワード、少なくとも１つの緊急連絡人情報、及び後見人の住所を含み、緊急連絡人情報は、連絡人の氏名と連絡人の電話番号を含む。
【００７７】
ここで、ユーザ名称は、後見人の携帯電話番号であってもよい。
【００７８】
また、後見人の実際の要求に応じて、複数の緊急連絡人を設定してもよい。
【００７９】
オップション記入情報は、後見人の身分証情報、職場、及び後見人の写真などのその他の情報を含む。
【００８０】
登録情報記入画面における必要記入情報を記入した後、必要記入情報に基づいて後見人登録情報記憶要求を生成し、後見人登録情報記憶要求をサーバに送信する。
【００８１】
サーバは、受信した後見人登録情報記憶要求を分析した後、ユーザ名称に記入された情報に基づいて、後見人情報データベースにユーザ名称に記入された情報に対応する後見人情報記憶連結リストを構築する。
【００８２】
後見人は、登録を完成した後、空いているコード形態の被後見人２次元コードを読み取ってから、後見人ＡＰＰソフトウェアの被後見人２次元コードに対応する被後見人情報記入画面に進入する。ここで、被後見人情報は、被後見人の氏名、年齢、住所、被後見人の動画、被後見人の最近の写真、血液型、アレルギーヒストリー、及び少なくとも１つの後見人情報を含み、後見人情報は、後見人の氏名、及び後見人の連絡方式を含む。ここで、後見人の連絡方式は、後見人の携帯電話番号、ＱＱ番号、ウィーチャット番号またはＥメールなどを含む。
【００８３】
また、後見人は、複数の空いているコード形態の被後見人２次元コードを読み取って、関連する被後見人情報を記入してもよい。
【００８４】
また、後見人は、登録を完成した後、後見人ＡＰＰソフトウェアのインタフェースによって、記入された後見人情報を照会又は修正してもよい。
【００８５】
ステップ１４において、被後見人２次元コードのコード値情報、被後見人情報、及び後見人ＡＰＰソフトウェアのユーザ情報に基づいて被後見人情報アップロード要求を生成した後、サーバのＩＰアドレスに基づいてサーバに被後見人情報アップロード要求を送信する。
【００８６】
ステップ１５において、サーバは、被後見人情報アップロード要求における被後見人２次元コードのコード値情報に基づいて、被後見人情報データベースにコード値情報に対応する被後見人情報連結リストを構築し、被後見人情報、及び後見人ＡＰＰソフトウェアのユーザ情報を被後見人情報連結リストに記憶する。
【００８７】
サーバは、被後見人情報連結リストを記憶した後、被後見人２次元コードを活性化する。
【００８８】
ここで、サーバは、被後見人情報連結リストに記憶されている情報の完全性を判断でき、記憶されている情報の完全性が最低標準に達する場合、当該被後見人２次元コードが活性化標準に符合すると判断し、未活性化状態から活性化状態に変換させる。
【００８９】
活性化状態にある被後見人２次元コードをスキャンした後、当該２次元コードが未活性化２次元コードであるというプロンプト情報が出現せず、後見人ＡＰＰソフトウェアをインストールする必要があるというプロンプト情報も出現しない。
【００９０】
また、被後見人２次元コードが活性化された後、後見人ＡＰＰソフトウェアのインタフェースによって、記入された被後見人情報を照会又は修正してもよい。
【００９１】
また、後見人ＡＰＰソフトウェアは、オンライン支払機能をさらに有し、サーバに該当費用を支払うことによって、当該後見人ＡＰＰソフトウェアを長期間使用し、後見人ＡＰＰソフトウェアが提供する該当するサービスを利用する。
【００９２】
ステップ２において、後見人は、被後見人の失踪を気づいた後、端末機器の後見人ＡＰＰソフトウェアを使用してサーバに被後見人失踪情報を送信する。
【００９３】
ステップ２は、下記のサブステップを含む。
【００９４】
ステップ２１において、後見人は、被後見人の失踪を気づいた後、端末機器の後見人ＡＰＰソフトウェアに被後見人の失踪位置、失踪時間、及び服装情報を記入し、被後見人失踪指令を生成してからサーバに送信する。
【００９５】
ステップ２２において、サーバは、被後見人失踪指令を受信した後、被後見人情報データベースから対応する被後見人情報連結リストを照会し、当該被後見人情報連結リストを被後見人失踪データベースに呼び込んで被後見人失踪情報を生成する。
【００９６】
ステップ２３において、サーバは、後見人情報データベースから既に登録されている各後見人情報記憶連結リストを照会し、後見人情報記憶連結リストから後見人情報を呼び出し、現在の被後見人失踪指令を各後見人に送信する。
【００９７】
ステップ３において、他人または被後見人失踪情報を獲得したいずれかの後見人は、被後見人２次元コードを読み取って必要記入情報を記入した後、サーバに被後見人発見指令を送信する。
【００９８】
ステップ３は、下記のサブステップを含む。
【００９９】
ステップ３１において、他人または被後見人失踪情報を獲得したいずれかの後見人は、単独の被後見人を発見すると、自分の端末機器によって被後見人２次元コードを読み取ってから、サーバから送信されるＷＥＢスタイルのフォーム画面を受信する。
【０１００】
ステップ３２において、必要記入情報を記入した後、被後見人２次元コードのコード値情報と必要記入情報を有するフォームによって被後見人発見指令を生成し、サーバのＩＰアドレスに基づいてサーバに被後見人発見指令を送信する。
【０１０１】
ここで、他人または被後見人失踪情報を獲得したいずれかの後見人が選定によってＷＥＢスタイルのフォーム画面に進入し、ＷＥＢスタイルのフォーム画面に記入される情報には、他人の携帯電話番号と被後見人の現在の発見場所情報とから構成される必要記入情報、及び被後見人の現在の状態、被後見人の現在の写真または被後見人の現在の動画を含むオップション記入情報が含まれる。
【０１０２】
ここで、被後見人の現在の状態は、例えば、被後見人が当時に傷つかれたか否かの状態が記載されるコメント欄を含む。
【０１０３】
他人または被後見人失踪情報を獲得したいずれかの後見人は、フォームに情報を入力した後、必要記入情報及び／またはオップション記入情報と被後見人２次元コードのコード値情報によって被後見人発見指令を生成し、サーバのＩＰアドレスに基づいてサーバに被後見人発見指令を送信する。
【０１０４】
また、他人または被後見人失踪情報を獲得したいずれかの後見人は、被後見人の顔写真を撮影し、顔写真をサーバに送信してもよい。
【０１０５】
ステップ４において、サーバは、被後見人発見指令に基づいて被後見人情報連結リストに記憶されている被後見人情報と後見人情報を照会した後、後見人に連絡して被後見人の現在の位置、及び他人または被後見人失踪情報を獲得したいずれかの後見人の連絡方式を通知する。
【０１０６】
ステップ４は、下記のサブステップを含む。
【０１０７】
ステップ４１において、サーバは、被後見人発見指令を分析して、被後見人２次元コードのコード値情報とフォーム情報を獲得する。
【０１０８】
ステップ４２において、被後見人２次元コードのコード値情報に基づいて被後見人情報データベースを照会し、それに対応する被後見人情報連結リストが照会された後、記憶されている後見人情報を呼び出す。
【０１０９】
ステップ４３において、フォーム情報における被後見人の現在の発見場所情報に基づいて、地図に位置決められた位置をマークする。
【０１１０】
ステップ４４において、呼び出した後見人情報に基づいて後見人に連絡して、被後見人の現在の位置情報、及び他人の携帯電話番号を通知する。
【０１１１】
ステップ４４において、サーバは、後見人情報によって後見人と連絡を取れない場合、国家公安機関通報センターに連絡し、被後見人情報連結リストに記憶されているすべての情報、他人の携帯電話番号と被後見人の現在の発見場所情報を国家公安機関通報センターに通知し、国家公安機関通報センターから警察を派遣して被後見人を確認して、被後見人を通報センターに連れてくるようにする。
【０１１２】
後見人は、失踪された被後見人が発見された後、後見人ＡＰＰソフトウェアによってサーバに被後見人捜出指令を送信し、サーバは、被後見人捜出指令を分析した後、被後見人失踪データベースで被後見人情報連結リストを取り消し、後見人情報データベースで既に登録されている各後見人情報を照会した後、被後見人捜出指令を各後見人に送信する。
【０１１３】
また、ステップ４において、サーバは、他人または被後見人失踪情報を獲得したいずれかの後見人がサーバに送信した被後見人発見指令に被後見人の顔写真がさらに含まれている場合、被後見人情報連結リストを照会した後、被後見人情報連結リストに記憶されている被後見人の最近の写真を呼び出し、被後見人の顔写真と被後見人の最近の写真とを画像比較して被後見人の身分を確定する。
【０１１４】
ここで、サーバは、従来の画像比較方法で失踪発見情報における被後見人の写真と被後見人情報連結リストに記憶されている被後見人の最近の写真との合致度を確定し、比較後の合致度が６０％より高い場合、被後見人身分確認情報を生成する。
【０１１５】
比較後の合致度が６０％より低い場合、サーバは、職員に通知して、フォーム情報に応じて人工方式で連絡を取って被後見人の身分を確認する。
【０１１６】
被後見人の身分を確認した後、サーバは、呼び出された後見人情報に基づいて後見人に連絡して被後見人の現在の位置情報、及び他人の携帯電話番号を通知し、後見人は、被後見人の現在の位置情報、及び他人の携帯電話番号を獲得した後、他人または被後見人失踪情報を獲得したいずれかの後見人の携帯電話番号を使用して連絡を取って被後見人の現在の位置にできるだけ早く到着するようにする。
【０１１７】
図２の実施例は、図１の実施例を基にして、後見人が被後見人の失踪を気づいた後サーバに被後見人失踪情報を送信して、サーバが既に登録されている各後見人に被後見人失踪情報を送信することを追加して、後見人ＡＰＰソフトウェアがインストールされている各後見人が協力して失踪された被後見人を探すことによって、被後見人を探す人数を増加させ、できるだけ早く被後見人が見つかる確率を増加させる。
【０１１８】
また、後見人は、被後見人の失踪を気づいた後、メディアに被後見人失踪情報を掲載させ、他の人々の協力を求め、より多くの人々に被後見人失踪情報を通知し、被後見人を探す人数を大幅に増加させ、できるだけ早く被後見人が見つかる確率を増加させる。
【０１１９】
図３に示すように、本発明は、被後見人２次元コード、後見人ＡＰＰソフトウェアがインストールされている後見人端末、サーバ、及び他人用端末を含む２次元コードに基づいて失踪された被後見人を探すシステムをさらに提供する。
【０１２０】
後見人ＡＰＰソフトウェアがインストールされている後見人端末は、インストールされている後見人ＡＰＰソフトウェアによって、空いているコード形態の被後見人２次元コードを読み取り、被後見人情報を記入した後、被後見人２次元コードのコード値情報、被後見人情報、及び後見人ＡＰＰソフトウェアのユーザ情報に基づいて被後見人情報アップロード要求を生成してから、サーバのＩＰアドレスに基づいてサーバに被後見人情報アップロード要求を送信する。
【０１２１】
また、後見人ＡＰＰソフトウェアがインストールされている後見人端末は、空いているコード形態の被後見人２次元コードに対する第１回の読み取りを通じて後見人ＡＰＰソフトウェアのインストールを完成すると、登録情報を記入する必要がある。
【０１２２】
登録情報記入画面における必要記入情報を記入した後、必要記入情報に基づいて後見人登録情報記憶要求を生成し、後見人登録情報記憶要求をサーバに送信する。
【０１２３】
他人用端末は、被後見人２次元コードを読み取り、必要記入情報を記入した後、被後見人２次元コードのコード値情報と必要記入情報に基づいて被後見人発見指令を生成し、被後見人発見指令をサーバに送信するためのものである。
【０１２４】
サーバは、後見人ＡＰＰソフトウェアがインストールされている後見人端末の後見人ＡＰＰソフトウェアから送信された被後見人情報アップロード要求に基づいて被後見人情報連結リストを構築した後、被後見人２次元コードを活性化する。
【０１２５】
サーバは、また他人用端末から送信された被後見人発見指令に基づいて、被後見人情報連結リストに記憶されている被後見人情報と後見人情報を照会した後、後見人に連絡して、後見人に被後見人の現在の位置、及び他人の連絡方式を通知する。
【０１２６】
サーバには、後見人登録情報を記憶するための後見人情報データベース、被後見人情報を記憶するための被後見人情報データベース、及び被後見人失踪情報を記憶するための被後見人失踪データベースが設定されている。
【０１２７】
サーバは、受信した後見人登録情報記憶要求を分析した後、ユーザ名称に記入された情報に基づいて、後見人情報データベースにユーザ名称に記入された情報に対応する後見人情報記憶連結リストを構築する。
【０１２８】
サーバは、被後見人情報アップロード要求における被後見人２次元コードのコード値情報に基づいて、被後見人情報データベースにコード値情報に対応する被後見人情報連結リストを構築し、被後見人情報、及び後見人ＡＰＰソフトウェアのユーザ情報を被後見人情報連結リストに記憶する。
【０１２９】
サーバは、被後見人失踪指令を受信した後、被後見人情報データベースで対応する被後見人情報連結リストを照会し、当該被後見人情報連結リストを被後見人失踪データベースに呼び込んで被後見人失踪情報を生成する。被後見人が発見された後、後見人から送信された被後見人捜出指令に基づいて、被後見人失踪データベースに記憶されている被後見人失踪情報を削除する。
【０１３０】
サーバは、空いているコード形態の被後見人２次元コードを生成するための２次元コード生成装置をさらに含む。
【０１３１】
サーバは、被後見人情報連結リストに記憶されている情報の完全性を判断するための情報判断装置、及び被後見人２次元コードを活性化するための活性化装置をさらに含む。
【０１３２】
サーバは、情報判断装置によって被後見人情報連結リストに記憶されている情報の完全性を判断することができ、記憶されている情報の完全性が最低標準に達する場合、当該被後見人２次元コードが活性化標準に符合すると判断し、活性化装置によって活性化して未活性化状態から活性化状態に変換させることができる。
【０１３３】
サーバは、画像比較装置をさらに含む。サーバは、他人または被後見人失踪情報を獲得したいずれかの後見人により撮影された被後見人の顔写真を受信すると、画像比較装置によって被後見人の顔写真と被後見人の最近の写真の合致度を確定し、比較後の合致度が６０％より高い場合、被後見人身分確認情報を生成する。
【０１３４】
比較後の合致度が６０％より低い場合、サーバは、職員に通知して、フォーム情報に応じて人工方式で連絡を取って、被後見人の身分を確認する。
【０１３５】
本発明は、応用時、被後見人２次元コードを服装にプリントすることができ、他人または被後見人失踪情報を獲得したいずれかの後見人は、単独のまたは失踪された被後見人を発見すると、その服装にプリントされている被後見人２次元コードを読み取ってサーバに被後見人発見指令を送信し、その後、サーバは、被後見人発見指令を分析し、分析を通じて被後見人２次元コードに対応する後見人連絡方式を照会でき、後見人に連絡して被後見人の現在の位置、及び他人または被後見人失踪情報を獲得したいずれかの後見人の連絡方式を通知することによって、失踪された被後見人をできるだけ早く見つかるようにする。
【０１３６】
また、サーバは、後見人情報によって後見人と連絡を取れない場合、国家公安機関通報センターに連絡し、被後見人情報連結リストに記憶されているすべての情報、他人の携帯電話番号と被後見人の現在の発見場所情報を国家公安機関通報センターに通知し、国家公安機関通報センターから警察を派遣して被後見人を確認して、被後見人を通報センターに連れてくるようにする。
【０１３７】
以上は、本発明の好適な実施例だけであり、発明を限定するためのものではなく、説明するためのものである。当業者は、発明の特許請求の範囲により限定される趣旨と範囲内で様々な改変、修正、ひいては均等切替がいずれも本発明の保護範囲内に含まれるということを理解できる。
【図１】
0006402144.tif 000002
【図２】
0006402144.tif 000003
【図３】
0006402144.tif 000004